(57)【特許請求の範囲】
【請求項１】
インサート保持具（１；１０１；２０１）、切削インサート（９；１０９；２０９；３０９；４０９）、ならびに前記切削インサート（９；１０９；２０９；３０９；４０９）を前記インサート保持具（１；１０１；２０１）に締結する締結部材（１８）を含む切屑除去機械加工用工具であって、
前記インサート保持具（１；１０１；２０１）は、前記インサート保持具の軸方向に直角を成す一第１の基面（Ｂｐ１）を有し、且つ前記切削インサート（９；１０９；２０９；３０９；４０９）のためのインサート座を画定する支持面（３；１０３；２０３）を有し、
前記支持面（３；１０３；２０３）は、前記インサート保持具（１；１０１；２０１）のシャフト部分（３）に平行な第二の基面（Ｂｐ２）に対して４５°の角度を成し且つ第一の基面（Ｂｐ１）に対して互いに直角を成し、
前記第一の基面及び第二の基面は、前記インサート保持具の中心を通る軸方向に対して直角に交差し、且つ
前記切屑面（１３；１１３；２１３；３１３）を備える前記刃部分（１１；１１１；２１１；３１１）の対称線（Ｓ１；Ｓ２；Ｓ３）が、前記支持面（３）ならびに前記切屑面（１３；１１３；２１３；３１３）と同じ平面にある基準線（Ｒ１；Ｒ２；Ｒ３）に対して４５°の角度を成すことを特徴することを特徴とする工具。
【請求項２】
前記支持面（３；１０３；２０３）が、前記締結部材（１８）を受け入れる中心の孔（７；１０７；２０７）を備えることを特徴とする請求項１に記載の工具。
【請求項３】
前記支持面（３；１０３；２０３）が、係合部材（５；１０５；２０５）を備え、前記切削インサート（９；１０９；２０９；３０９；４０９）が、相補的な係合部材（１６）を備えることを特徴とする請求項１または２のいずれかに記載の工具。
【請求項４】
前記切削インサート（９；１０９；２０９；３０９；４０９）が、中心の貫通孔（１７）を有し、いくつかの刃部分（１１；１１１；２１１；３１１；４１１）が、前記孔に対して対称的に配置されていることを特徴とする請求項１〜３のいずれか１項に記載の工具。
【請求項５】
前記刃部分（１１；１１１；２１１；３１１；４１１）が、切れ刃（１２；１１２；２１２；３１２；４１２）及びすくい面の一部を形成する切屑面（１３；１１３；２１３；３１３；４１３）を含み、切れ刃（１２；１１２；２１２；３１２；４１２）と前記切屑面（１３；１１３；２１３；３１３；４１３）を含む平面（Ｐ１）が、前記切削インサート（９；１０９；２０９；３０９；４０９）の中心部分を通って延伸し、締結部材（１８）の軸方向に延長を有することを特徴とする請求項４に記載の工具。
【請求項６】
少なくとも一つの刃部分（１１；１１１；２１１；３１１；４１１）と中心の貫通孔（１７）とを含む請求項１〜５のいずれか１に記載の切屑除去機械加工用工具のための切削インサートであって、
前記刃部分（１１；１１１；２１１；３１１；４１１）は、さらに切れ刃（１２；１１２；２１２；３１２；４１２）とすくい面の一部を形成する切屑面（１３；１１３；２１３；３１３；４１３）を含み、
切れ刃（１２；１１２；２１２；３１２；４１２）と前記切屑面（１３；１１３；２１３；３１３；４１３）を含む平面（Ｐ１）が、前記切削インサート（９；１０９；２０９；３０９；４０９）の中心部分を通って延伸し、前記孔（１７）の軸方向に延長を有することを特徴とする切削インサート。
【請求項７】
前記平面（Ｐ１）が、前記孔（１７）の中心を通って延伸することを特徴とする請求項６に記載の切削インサート。
【請求項８】
前記切削インサートが、インサート座（３；１０３；２０３）に当接するように意図した表面（１５）に係合部材（１６）を有することを特徴とする請求項６または７のいずれかに記載の切削インサート。
【請求項９】
前記刃部分（１１；１１１；２１１；３１１；４１１）が、一般に半径方向への延長を有するフィンガー（１０；１１０；２１０；３１０；４１０）によって担持されることを特徴とする請求項６〜８のいずれか１項に記載の切削インサート。
【発明の詳細な説明】
【０００１】
【発明の属する技術分野】
本発明は、インサート保持具と、切削インサートと、さらに切削インサートをインサート保持具に締結する締結部材も含む切屑除去機械加工用工具に関する。また、本発明は、さらに本発明にしたがう工具に装着される切削インサートにも関する。
【０００２】
【従来の技術】
金属切削加工用の切削インサートを締結装置は、すでにスウィーデン特許第Ｃ−５１１３９０号によって知られている。これに関しては、一つの実施形態は、４つの切れ刃を備えた切削インサートであって、切削インサートの側面にインサート座と当接するようにした溝／溝を備え、そこで溝はインサート座のリッジ（ridge）と協同して働くようになっている切削インサートを開示している。切れ刃は一般に切削インサートの主平面内に位置している。
【０００３】
ねじ切り切削インサートはすでに米国特許第Ａ−５，００４，３７９号によって知られており、４つの刃部分を有し、それによって刃は切削インサートの対称主平面内に位置している。この切削インサートは二つの側面を有し、それがインサート座に当接するようになっており、その結果この切削インサートは、原理的に、８つの作用刃を有する。工具のインサート保持具の前部と後部の境界面がインサート保持具の長手方向中心軸に対して４５°傾いている工具はすでに国際出願第９３／１０９２９号によって知られている。境界面は隆起した（ridged)歯を備えている。
【０００４】
【発明が解決しようとする課題】
本発明の第一の目的は、上で述べたような工具、ならびにそれに関連した切削インサートであって、使用者が使い易い仕方で外側及び内側の機械加工に使用できる工具を提供することである。
【０００５】
本発明の別の目的は、工具／切削インサートが複数の切れ刃を有することによって切屑除去機械加工の際に切削インサートの割り出しを可能にし、それによって通常、使用寿命を伸ばすことを可能にすることである。
【０００６】
本発明のさらに別の目的は、切削インサートを、付属するインサート座にしっかりと締結できるようにすることである。
【０００７】
少なくとも本発明の第一の目的は、以下の独立請求項に示される特徴を有する工具／切削インサートによって達成される。本発明の好ましい実施形態は従属請求項で定められる。
【０００８】
以下、本発明のいくつかの実施形態を添付の図面を参照して説明する。
【０００９】
【課題を解決するための手段、及び発明の実施の形態】
図１に示されたインサート保持具１は、原理的に、以下で記述する本発明の全ての実施形態に共通である。インサート保持具１は、シャフト部分２ならびに支持面３を含み、支持面３はインサート保持具１が担うことになるいろいろな切削インサートのインサート座を画定する。図１には、第一の基面Ｂｐ１と第二の基面Ｂｐ２が示されており、それらは互いに直角を成している。支持面３は、インサート保持具１の第二の基面Ｂｐ２と４５°の角を成しており、これは図２にもっとはっきりと見られる。このために、支持面３は楕円の形をしている。図１に見られるように、支持面３にはいくつかのショルダー５の形の（図示された実施形態では４つ）係合部材が設けられ、それは中心角が９０°のくさび形のケーキ薄片の形をしている。支持面３には、ねじが切られた第一の孔７が設けられ、この第一の孔７は切削インサートの固定ねじを収容するようになっている、以下を見よ。ショルダー５は第一の孔７に対して対称に配置されている。ショルダー５は、切削インサートにある相補的な形の座ぐりと協同して働くという機能を有する。これについては以下でさらに詳しく説明する。
【００１０】
図２では、インサート保持具１が平面図で示されており、第二の基面Ｂｐ２が点鎖線で示されている。支持面３が第二の基面Ｂｐ２と成す角４５°が図２に示されている。
【００１１】
図３と４に示されている切削インサート９は４つのフィンガー１０を含み、その各々が刃部分１１を担持している。各刃部分１１は、切れ刃１２、切屑面１３，ならびに逃げ面（flank surface）１４を含む。切削インサート９はまた、貫通した、中央に位置する第二の孔１７を含み、これは切削インサート９を締結するのに用いられる。切れ刃１２は真っ直ぐで、平面Ｐ１が切れ刃１２と付随する切屑面１３を含み、その延長が主に第二の孔１７の中心を通り、平面Ｐ１の延長はまた第二の孔１７の軸方向を含む。これは図４にはっきりと見られ、そこで平面Ｐ１は点鎖線で示されており、図４の紙に垂直な方向に延長を有している。切削インサート９はまた、接触面１５を有し、それには４つの座ぐり１６が設けられ、インサート保持具１に切削インサート９が取り付けられた位置ではインサート保持具１のインサート座の支持面３のショルダー５を受け入れるようになっている、すなわち、支持面３と接触面１５は相補的に形成されている。支持面３と接触面１５を吟味することによって、切削インサート９はインサート保持具１上で４つの異なる位置に割り出しできるということが認識される。
【００１２】
図５に示された本発明にしたがう工具は、インサート保持具１と、切削インサート９と、固定ねじ１８を含み、固定ねじ１８は切削インサート９の中央に位置する孔１７を通って延伸し、インサート保持具１の第一の孔７に固定される。切削インサート９は４つのフィンガー１０を有し、それらは一般に斜め後方へ、インサート保持具１の方向に延びている。
【００１３】
図６に示された本発明にしたがう工具は、インサート保持具１ならびに切削インサート１０９を含み、切削インサート１０９はインサート座の支持面３に当接する表面を有し、この表面は、原理的に、切削インサート９の対応する表面１５に対応する。切削インサート１０９はまた、４つのフィンガー１１０を有し、それらは一般に斜め前方へ、すなわち、インサート保持具１から離れる方向に延びている。切削インサート９に対応して、各フィンガー１１０は、切れ刃１１２と、切屑面１１３と、逃げ面１１４を含む刃部分１１１を有する。切れ刃１１２と逃げ面１１３を含む平面Ｐ１は、その延長がほぼ孔１７／ねじ１８の中心を通り、平面Ｐ１の延長はねじ１８の軸方向を含み、かつ図６の紙面に対して垂直になる。刃部分１１１の対称線Ｓ１は、切屑面内にあり、支持面３内にありかつ切屑面１１３と同じ平面にある基準線Ｒ１に対して４５°の角を成している。対称線Ｓ１は、原理的に、切れ刃１１２を両半分に分割し、交点で切れ刃１１２に対して直角に延びている。刃部分の延長に関して対応する議論が図３〜５による切削インサートにもあてはまるが、角度はこれらの図には示されていない。
【００１４】
図７に示された本発明にしたがう工具は、インサート保持具１ならびに切削インサート２０９を含み、切削インサート２０９はインサート座の支持面３に当接する表面を有し、この表面は、原理的に、切削インサート９の対応する表面１５に対応する。図７に示されているように、支持面３は図７で一点鎖線で示されている第二の基面Ｂｐ２に対して４５°の傾きを有し、紙面に垂直な延長を有する切削インサート２０９はまた、４つのフィンガー２１０を有し、フィンガー２１０は一般に斜め後方へ、すなわち、インサート保持具１の方向への延長を有する。各フィンガー２１０は、切れ刃２１２と、切屑面２１３と、逃げ面２１４を含む刃部分２１１を有する。切れ刃２１２は曲がっており、逃げ面２１４は切れ刃２１２に適合した形を有する。切れ刃２１２ならびに付随する切屑面２１３を含む平面Ｐ１は、その延長がほぼ孔１７／ねじ１８の中心を通り、平面Ｐ１の延長は孔１７／ねじ１８の軸方向を含む。この平面Ｐ１は図７に点鎖線で示されており、平面Ｐ１の延長は図７の紙面に垂直である。刃部分２１１の対称線Ｓ２は、切屑面２１３にあり、支持面３内にありかつ切屑面２１３と同じ平面にある基準線Ｒ２に対して４５°の角を成している。この対称線Ｓ２は、原理的に、切れ刃２１２を両半分に分割して、交点で切れ刃２１２に対して直角に延びている。
【００１５】
図８に示された本発明にしたがう工具は、インサート保持具１と、切削インサート３０９と、固定ねじ１８を含み、固定ねじ１８は切削インサート３０９の中央の孔（不図示）に受け入れられ、インサート保持具１のねじが切られた孔（不図示）に固定される。切削インサート３０９はインサート保持具１の支持面３に当接し、この支持面３はインサート保持具１の第二の基面Ｂｐ２に対して４５°の角度を成す。この基面Ｂｐ２は点鎖線で示され、その延長は図８の紙面に垂直である。切削インサート３０９は、上記の切削インサートと同様に、４つのフィンガー３１０を有し、それらは一般に斜め前方へ、すなわち、インサート保持具１の方向への延長を有する。各フィンガー３１０は、切れ刃３１２と、切屑面３１３と、逃げ面３１４を含む刃部分３１１を有する。切れ刃３１２は、互いに直角を成す二つの真直部分から成り、付随する逃げ面３１４は平面であり、切れ刃３１２と接続している。切れ刃３１２ならびに付随する切屑面３１３を含む平面Ｐ１は、孔１７／ねじ１８のほぼ中心を通る延長を有し、平面Ｐ１の延長は孔１７／ねじ１８の軸方向を含む。この平面Ｐ１は図８で一点鎖線で示され、延長は図８の紙面に垂直である。刃部分３１１の対称線Ｓ３は、切屑面３１３内にあり、支持面３内にありかつ切屑面３１３と同じ平面にある基準線Ｒ３に対して４５°の角を成している。この対称線Ｓ３は、原理的に、切れ刃３１２を両半分に分割し、互いに直角を成す切れ刃３１２の真直部分に対して二等分面になっている。
【００１６】
図９に示された本発明にしたがう工具は、インサート保持具１と、切削インサート４０９と、固定ねじ１８を含み、固定ねじ１８は切削インサート４０９の中央の孔（不図示）に受け入れられ、インサート保持具１のねじが切られた孔（不図示）に固定される。切削インサート４０９はインサート保持具１の支持面３に当接し、この支持面３はインサート保持具１の第二の基面Ｂｐ２に対して４５°の角度を成す。この基面Ｂｐ２は点鎖線で示され、その延長は図９の紙面に垂直である。切削インサート４０９は、上記の切削インサートと同様に、４つのフィンガー４１０を有し、その延長は一般に支持面３と平行である。各フィンガー４１０は、切れ刃４１２と、切屑面４１３と、逃げ面４１４を含む刃部分４１１を有する。切れ刃４１２は曲がっており、逃げ面３１４は切れ刃３１２に適合した形を有する。切れ刃３１２ならびに付随する切屑面３１３を含む平面Ｐ１は、その延長が孔１７／ねじ１８のほぼ中心を通り、平面Ｐ１の延長は孔１７／ねじ１８の軸方向を含む。この種の平面Ｐ１は図９に点鎖線で示されており、平面Ｐ１の延長は図９の紙面に垂直である。
【００１７】
図１０には、インサート保持具１０１の別の実施形態、特に支持面１０３、が示されている。インサート保持具１と同様に、支持面１０３は第二の基面Ｂｐ２に対して４５°の角度を成す。図１０に見られるように、支持面１０３はいくつかの半径方向に延伸する溝１０５を有し、これは支持面１０３の周縁からインサート保持具１０１の第一の孔１０７まで延びている。インサート保持具１０１に固定されることになる切削インサートは、支持面１０３と相補的な接触面を有する必要がある、すなわち、接触面は溝１０５にはまるリッジを有する必要があり、リッジの数は溝１０５の数に等しいことが好ましい。このような切削インサートは溝／リッジの数の回数だけの割り出しが可能である。
【００１８】
図１１には、インサート保持具２０１の別の実施形態が、特に支持面２０３に関して、示されており、この支持面２０３はワッフル状の表面構造を有する。支持面２０３は第二の基面Ｂｐ２に対して４５°の角度を成す。インサート保持具２０１に締結される切削インサートは、支持面２０３と相補的な接触面を有するものでなければならない、すなわち、接触面は反転されたワッフル状の表面構造を有する必要がある。このような切削インサートは支持面２０３への締結で４回の割り出しが可能である。
【００１９】
図１２には、本発明にしたがう切削インサートのいくつかの刃部分が概略図で示されている。図１２の目的は、本発明による少数の異なるホルダー及び切削インサートが、それぞれ、切削作業に関して本発明による工具を用いた多数の組み合わせを可能にするということを示すことにある。すなわち、本発明による工具は内側の機械加工でも外側の機械加工でも、例えば、溝切り、長手方向旋削削り、及びねじ切り、に関連して利用できる。
【００２０】
【実施例、及び発明の効果】
上記の全ての切削インサート９；１０９；２０９；３０９；４０９は４つのフィンガー１０；１１０；２１２０；３１０；４１０を有し、その各々が刃部分１１；１１１；２１１；３１１；４１１を有する。しかし、もっと少数のフィンガーも、もっと多数のフィンガーも本発明の範囲内で考えることができ、その場合フィンガーの数は普通１〜６個である。本発明の範囲内で、同一の切削インサートが斜め前方に延伸するフィンガー、斜め後方に延伸するフィンガー、及び純粋に半径方向に延伸するフィンガーの組み合わせを有することが実現可能である。例えば、このような切削インサートは図３〜５による切削インサートと図６による切削インサートの組み合わせであってもよい。
【００２１】
上述の切削インサートの実施形態では、平面Ｐ１は第二の孔１７／固定ねじ１８のほぼ中心を通る。しかし、本発明の範囲内で、例えば、切屑面１３；１１３；２１；３１３；４１３が、平面Ｐ１が上記の中心のわきに交わるような方向を与えられることが考えられるが、しかし、平面Ｐ１は切削インサート９；１０９；２０９；３０９；４０９の中心部分の方向へ内側に延伸し、延長が切削インサート９；１０９；２０９；３０９；４０９の中心の孔１７の軸方向を含まなければならない。
【００２２】
上述の実施形態において、切削インサート９；１０９；２０９；３０９；４０９は固定ねじ１８によって固定される。しかし、本発明の範囲内で別の締結部材が考えられ、その例として、限定するためではなく、引き上げ引張棒（expanding drawbar）をあげることができる。
【００２３】
支持面に３；１０３；２０３に設けられる上述の係合部材は単なる例にすぎない。本発明の範囲内で、複数の別の係合部材が実現可能であるが、しかし、切削インサートに相補的な係合部材を設けることが重要である。
【図面の簡単な説明】
【図１】図１は、インサート保持具を示す斜視図であり、これは本発明にしたがう工具の図示される全ての実施形態に共通している。
【図２】図２は、図１によるインサート保持具の平面図を示す。
【図３】図３は、本発明の第一の実施形態にしたがう切削インサートの下からの斜視図を示す。
【図４】図４は、図３の切削インサートの真下からの図を示す。
【図５】図５は、図４及び５による切削インサートを備えた本発明の第一の実施形態にしたがう工具を示す斜視図である。
【図６】図６は、本発明の第二の実施形態にしたがう工具を示す側面図である。
【図７】図７は、本発明の第二の実施形態にしたがう工具を示す側面図である。
【図８】図８は、本発明の第三の実施形態にしたがう切削インサートを示す側面図である。
【図９】図９は、本発明の第四の実施形態にしたがう工具を示す側面図である。
【図１０】図１０は、本発明による工具に含まれるインサート保持具の第二の実施形態を示す斜視図である。
【図１１】図１１は、本発明による工具に含まれるインサート保持具の第三の実施形態を示す斜視図である。
【図１２】図１２は、本発明にしたがう切れ刃とインサート保持具のいろいろな断面を示す概観図であり、いろいろな断面の切れ刃で実行できるいろいろなタイプの機械加工も示されている。
【符号の説明】
１、１０１、２０１…インサート保持具
３、１０３、２０３…支持面
５、１０５、２０５…係合部材
７、１０７、２０７…第一の孔
９、１０９、２０９、３０９、４０９…切削インサート
１０、１１０、２１０、３１０、４１０…フィンガー
１１、１１１、２１１、３１１、４１１…刃部分
１２、１１２、２１２、３１２、４１２…切れ刃
１３、１１３、２１３、３１３、４１３…切屑面
１４、１１４、２１４、３１４、４１４…逃げ面
１５…接触面
１６…座ぐり
１７…第二の孔
１８…固定ねじ
【図１】
0004071575.tif 000002
【図２】
0004071575.tif 000003
【図３】
0004071575.tif 000004
【図４】
0004071575.tif 000005
【図５】
0004071575.tif 000006
【図６】
0004071575.tif 000007
【図７】
0004071575.tif 000008
【図８】
0004071575.tif 000009
【図９】
0004071575.tif 000010
【図１０】
0004071575.tif 000011
【図１１】
0004071575.tif 000012
【図１２】
0004071575.tif 000013